(57)【要約】【課題】汚泥サンプル分析の前処理装置の構造が斬新で合理的で、作業精度が高く、適用範囲が広い汚泥サンプル分析の前処理装置を提供する。【解決手段】汚泥サンプル分析の前処理装置は、汚泥ポンプ１、コントローラー２、押出機３、乾燥機４、ミクロトーム５、サンプル採取装置６、作業台７、汚水プール８、汚水管９、汚水ポンプ１０を含む。その特徴として、汚泥ポンプ１の一端は外部の汚泥プールと連接し、別一端は管路を通り押出機３と連通する。押出機３の一端は汚水管９、汚水ポンプ１０と汚水プール８に連通し、押し出した水を汚水プール８の中に排水し、別一端は乾燥機４と連通する。乾燥機４の別一端はミクロトーム５に連接し、ミクロトーム５右側にはサンプル採取装置６を設置する。コントローラー２と汚泥ポンプ１、押出機３、乾燥機４、ミクロトーム５、サンプル採取装置６、汚水ポンプ１０はリード線で連接する。【選択図】図１
0003226552.tif 000002
【実用新案登録請求の範囲】
【請求項１】
汚泥ポンプ、コントローラー、押出機、乾燥機、ミクロトーム、サンプル採取装置、作業台、汚水プール、汚水管、汚水ポンプから構成された汚泥サンプル分析の前処理装置において、
汚泥ポンプの一端は外部の汚泥プールと連接し、別一端は管路を通り押出機と連通し、
押出機の一端は汚水管、汚水ポンプと汚水プールに連通し、押し出した水を汚水プールの中に排水し、別一端は乾燥機と連通し、
乾燥機の別一端はミクロトームに連接し、ミクロトーム右側にはサンプル採取装置を設置し、
作業台の上部にはコントローラーを設置し、コントローラーと汚泥ポンプ、押出機、乾燥機、ミクロトーム、サンプル採取装置、汚水ポンプはリード線で連接し、
作業台の下部に汚水プールを設けることを特徴とする汚泥サンプル分析の前処理装置。
【請求項２】
前記サンプル採取装置は、サンプル採取器台、サンプル採取器、穿孔機、角度調節部材、横移動駆動装置、縦移動駆動装置を含み、
底部に位置するサンプル採取器台は、その上部にサンプル採取器を設置し、サンプル採取器の上部には穿孔機を設置し、穿孔機の上部には角度調節部材、横移動駆動装置、縦移動駆動装置の順に設置し、
そのうち横移動駆動装置は縦移動駆動装置、角度調節部材、穿孔機を伴いレールに沿って水平移動し、
縦移動駆動装置は角度調節部材、穿孔機を伴い上下移動し、
角度調節部材は穿孔機の穿孔角度を制御し、
角度調節部材は一対の円弧形デザインであることを特徴とする請求項１記載の汚泥サンプル分析の前処理装置。
【請求項３】
前記穿孔機は、昇降機、定位部材、電動穿孔機、穿孔ドリル、吸込みファン、吸込みファンフレーム、定位孔を含み、
前記昇降機は垂直移動するように設計され、その下部には角度調節部材を設置し、且つ表面には多数個の定位孔を穿設し、
定位部材の一端は定位孔の内部に挿入し、別一端は電動穿孔機と固定連接し、
電動穿孔機は下部の穿孔ドリルと嵌合快速機構によって連接し、
穿孔ドリルの一側には吸込みファンを設置し、吸込みファンフレームによって電動穿孔機としっかりと連接し、
吸込みファンの一端は穿孔ドリルに近く、別一端は外部の導管と連接することを特徴とする請求項２記載の汚泥サンプル分析の前処理装置。
【請求項４】
前記定位部材は、拡張柱、水平杆、回動機、停止機、戻りバネ、中心柱、ブレーキ柱、ガイドレール、支持傘を含み、
中央に位置する中心柱は垂直に設計され、拡張柱は中心柱外部に接続し、拡張柱は中心柱の腰部に位置し、拡張柱は縦方向に四分の一の円弧板が四個に分けられ、各円弧板は上下二本の水平杆とその四方に位置するブレーキ柱と連接され、
同時にブレーキ柱の上下両端は戻りバネで中心柱と連接され、
前記四本のガイドレールは、放射状等の角度で排列し、
定位部材の筐体弾性構造において、定位部材の筐体外部に回動機を設け、回動機を回転させることで、ブレーキ柱がガイドレールに沿って放射状に拡がり、定位部材の筐体を弾力で押し、
定位部材の一側には停止機を設け、
拡張柱の下部には傘型構造の支持傘を設け、回動機がブレーキ柱を駆動させて支持傘が放射状に開くのを実現することを特徴とする請求項３記載の汚泥サンプル分析の前処理装置。
【請求項５】
前記支持傘は、傾斜骨、水平骨、支持傘筐体を含み、
最上部に位置する支持傘筐体は錐体構造で、弾力で拡がる材質であり、展開後底部の直径は定位孔より大きく、
支持傘筐体は下部の傾斜骨と連接し、一定の傾斜角度を備えた傾斜骨の最上部を二十本一点で集めて相互に連結し、その底部を同数の水平骨でそれぞれ連結し、水平骨の別一端は拡張柱と連接することを特徴とする請求項４記載の汚泥サンプル分析の前処理装置。
【請求項６】
前記サンプル採取器は、作業エリア、挟持板滑路、滑動槽、挟持板、挟持盤、手動駆動機、駆動軸、粉屑回収箱を含み、
サンプル採取器の一端に位置する手動駆動機は駆動軸を回転させ、挟持板を挟持板滑路に沿って左右に移動させ、
挟持板の下部には滑動槽を設けて、その両者を固定連接し、滑動槽は挟持板滑路上でスライドし、
挟持板の数は二つであり、二つの挟持板は相対運動し、
そのうちの一つの挟持板には挟持盤を設け、
サンプル採取器の一側には粉屑回収箱を設け、粉屑回収箱はホースで吸込みファンと連通することを特徴とする請求項５記載の汚泥サンプル分析の前処理装置。
【請求項７】
前記挟持盤は、水平転換駆動軸、ターンギア、汚泥丸形片槽、ターンテーブル、垂直駆動軸、ターンテーブル起立軸、汚泥丸形片掛合杆を含み、
一側に位置する水平転換駆動軸はターンギアの歯が咬合して連接し、ターンギアとターンテーブルの歯が咬合して連接し、
ターンテーブルの盤面上には六個の汚泥丸形片槽を設け、ターンテーブル起立軸を中心軸として等角度で配置し、
汚泥丸形片槽の表面一側には汚泥丸形片掛合杆を設け、
ターンテーブル起立軸の下部はターンテーブルと固定連接し、
ターンテーブル起立軸の上部は垂直駆動軸の歯と咬合して連接することを特徴とする請求項６記載の汚泥サンプル分析の前処理装置。
【考案の詳細な説明】
【技術分野】
【０００１】
本考案は、汚泥サンプル分析の前処理装置に関するもので、環境保護設備領域に属し、汚泥サンプル分析の前処理装置に係る。
【背景技術】
【０００２】
汚泥には様々な凝集成分が混入しており、沈殿後の含水量が多い泥漿沈殿サンプルに対し、分析を行う場合、先ず脱水、乾燥、スライスの過程を実施しなければならない。
【考案の概要】
【考案が解決しようとする課題】
【０００３】
しかしながら、現在の技術において、汚泥の脱水、乾燥は含水量が多く、押出装置の出水率は低く、乾燥物のサンプル採取装置は作業時に大量の屑、粉塵と不純物が発生し、微小の粉塵、屑粒を人が吸い込むと、作業者の健康を犯す危険がある。更に大量の屑、不純物の清掃は複雑で面倒である。またミクロトームの切断角度は調整できない。同時に既存のサンプル採取装置は定位精度が低く、コンピュータ制御の誤差が大きい。またサンプル採取装置の効率が低く、物品に対する要求が高く、廃棄率が高く、コストも高くなるため、新しい技術に依り上述の問題を改善する必要がある。
【課題を解決するための手段】
【０００４】
本考案は汚泥サンプル分析の前処理装置を提供する。汚泥サンプル分析の前処理装置は汚泥ポンプ、コントローラー、押出機、乾燥機、ミクロトーム、サンプル採取装置、作業台、汚水プール、汚水管、汚水ポンプを含む。
汚泥ポンプの一端は外部の汚泥プールと連通し、別一端は管路を通過して押出機と連通する。
押出機の一端は汚水管、汚水ポンプと汚水プールに連通し、押し出した水を汚水プールの中に排水し、別一端は乾燥機と連通する。
乾燥機の別一端はミクロトームに連通し、ミクロトーム右側にはサンプル採取装置を設置する。
作業台の上部にはコントローラーを設置し、コントローラーと汚泥ポンプ、押出機、乾燥機、ミクロトーム、サンプル採取装置、汚水ポンプはリード線で連接される。
作業台の下部には汚水プールを設置する。
【０００５】
さらに、該サンプル採取装置はサンプル採取器台、サンプル採取器、穿孔機、角度調節部材、横移動駆動装置、縦移動駆動装置を含む。
底部に位置するサンプル採取器台に位置し、その上部にはサンプル採取器を設置し、サンプル採取器上部には穿孔機を設置し、穿孔機上部において、角度調節部材、横移動駆動装置、縦移動駆動装置の順に設置する。
そのうち横移動駆動装置は縦移動駆動装置、角度調節部材、穿孔機を伴いレールに沿って水平移動する。
縦移動駆動装置は角度調節部材、穿孔機を伴い上下移動する。
角度調節部材は穿孔機の穿孔角度を制御する。
角度調節部材は一対の円弧形デザインである。
【０００６】
さらに、該穿孔機は、昇降機、定位部材、電動穿孔機、穿孔ドリル、吸込みファン、吸込みファンフレーム、定位孔を含む。
該昇降機は垂直移動するように設計され、その下部には角度調節部材を設置し、且つ表面には多数個の定位孔を穿設する。
定位部材の一端は定位孔の内部に挿入し、別一端は電動穿孔機と固定連接する。
電動穿孔機は下部の穿孔ドリルと嵌合快速機構によって連接する。
穿孔ドリルの一側には吸込みファンを設置し、吸込みファンフレームによって電動穿孔機としっかりと連接する。
吸込みファンの一端は穿孔ドリルに近く、別一端は外部の導管と連接する。
【０００７】
さらに、該定位部材は、拡張柱、水平杆、回動機、停止機、戻りバネ、中心柱、ブレーキ柱、ガイドレール、支持傘を含む。
中央に位置する中心柱は垂直に設計され、拡張柱は中心柱外部に接続し、拡張柱は中心柱の腰部に位置し、拡張柱は縦方向に四分の一の円弧板が四個に分けられ、各円弧板は上下二本の水平杆とその四方に位置するブレーキ柱と連接される。
同時にブレーキ柱の上下両端は戻りバネで中心柱と連接される。
該四本のガイドレールは、放射状等の角度で排列する。
定位部材の筐体弾性構造において、定位部材の筐体外部に回動機を設け、回動機を回転させることで、ブレーキ柱がガイドレールに沿って放射状に拡がり、定位部材の筐体を弾力で押す。
定位部材の一側には停止機を設ける。
拡張柱の下部には傘型構造の支持傘を設け、回動機がブレーキ柱を駆動させて支持傘が放射状に開くのを実現する。
【０００８】
さらに、該支持傘は、傾斜骨、水平骨、支持傘筐体を含む。
最上部に位置する支持傘筐体は錐体構造で、弾力で拡がる材質であり、展開後底部の直径は定位孔より大きい。
支持傘筐体は下部の傾斜骨と連接し、一定の傾斜角度を備えた傾斜骨の最上部を二十本一点で集めて相互に連結し、その底部を同数の水平骨でそれぞれ連結し、水平骨の別一端は拡張柱と連接する。
【０００９】
さらに、該サンプル採取器は、作業エリア、挟持板滑路、滑動槽、挟持板、挟持盤、手動駆動機、駆動軸、粉屑回収箱を含む。
サンプル採取器の一端に位置する手動駆動機は駆動軸を回転させ、挟持板を挟持板滑路に沿って左右に移動させる。
挟持板の下部には滑動槽を設けて、その両者を固定連接し、滑動槽は挟持板滑路上でスライドする。
挟持板の数は二つであり、二つの挟持板は相対運動する。
そのうちの一つの挟持板には挟持盤を設ける。
サンプル採取器の一側には粉屑回収箱を設け、粉屑回収箱はホースで吸込みファンと連通する。
【００１０】
さらに、該挟持盤は、水平転換駆動軸、ターンギア、汚泥丸形片槽、ターンテーブル、垂直駆動軸、ターンテーブル起立軸、汚泥丸形片掛合杆を含む。
一側に位置する水平転換駆動軸はターンギアの歯と咬合して連接し、ターンギアとターンテーブルの歯が咬合して連接する。
ターンテーブルの盤面上には六個の汚泥丸形片槽を設け、ターンテーブル起立軸を中心軸として等角度で配置する。
汚泥丸形片槽の表面一側には汚泥丸形片掛合杆を設ける。
ターンテーブル起立軸の下部はターンテーブルと固定連接する。
ターンテーブル起立軸の上部は垂直駆動軸の歯と咬合して連接する。
【００１１】
さらに、該前処理装置の作業方法は、以下のステップを含む。
ステップ１として、汚泥サンプル分析の前処理装置を使用するとき、コントローラーで汚泥ポンプを稼働させ含水汚泥を押出機に送る。押し出し作用によって、作られた汚水は汚水管、汚水ポンプを通じて汚水プールの中に進入する。
脱水後の丸形汚泥を乾燥機に入れて乾燥させる。
乾燥後の丸形汚泥をミクロトームに入れて丸形片にスライスし、汚泥丸形片はサンプル採取装置で穿孔してサンプルを採取する。
ステップ２として、サンプル採取装置を使用するとき、サンプル採取器が汚泥丸形片を挟持し、横移動駆動装置、縦移動駆動装置で穿孔機と汚泥丸形片間の距離を調整する。
次に角度調節部材で穿孔機と汚泥丸形片間の夾角を調整する。
ステップ３として、穿孔機を使用するとき、昇降機の上下移動で穿孔ドリルと汚泥丸形片之間の距離を調整する。
コントローラーで電動穿孔機を稼働させて穿孔ドリルを回転させ、汚泥丸形片に対して穿孔し、サンプルを採取操作する。
同時に定位部材を異なる定位孔に挿入して穿孔ドリルの傾斜角度を調整するのに用いる。
吸込みファンフレームは吸込みファン角度を調整し、コントローラーで吸込みファンを稼働させ穿孔ドリルの作業時に発生する粉屑を吸入する。
ステップ４として、定位部材を使用するとき、手動で定位部材を定位孔の中に挿入し、回動機を回転し、機械でブレーキ柱を稼働しガイドレールに沿って四方に広げ、定位孔としっかり結合させる。
すでに定位孔に挿入した支持傘は定位孔の別の外側において、拡張柱を下向きに広げ、更に定位孔に留める。
反対に、回動機を逆に回すと、戻りバネがブレーキ柱を収縮させ、更に支持傘を縮ませ、定位孔の制限を解除し、手動で定位部材を定位孔から抜き出し、角度を調整するのに用いる。
ステップ５について、支持傘を使用するとき、拡張柱が水平骨を押して径方向に広げ、傾斜骨の底端を広げ、支持傘を定位孔外の別一側で留める。
ステップ６について、サンプル採取器を使用するとき、作業者が手動駆動機で左右二つの挟持板を相対して移動させ、挟持盤をきつく挟持し、同時に挟持盤を制御して穿孔ドリルに合わせるのを実現する。
粉屑回収箱はホース、吸込みファンを通じて穿孔で発生した粉屑を箱内に回収する。
ステップ７について、挟持盤を使用するとき、外部設備が垂直駆動軸を動かし、ターンテーブル起立軸で穿孔ドリルの微調整と対象間の距離を調整するためにターンテーブルの上下移動を実現する。
外部設備が水平転換駆動軸を動かし、ターンギアでターンテーブルの水平回転を実現する。
汚泥丸形片槽の内部に汚泥丸形片を入れ、汚泥丸形片掛合杆によって固定され、ターンテーブルが水平回転して穿孔ドリルが六個の汚泥丸形片槽中の対象に対してそれぞれ処理することを実現する。
【考案の効果】
【００１２】
本考案の汚泥サンプル分析の前処理装置は、汚泥サンプル分析の前処理装置の構造が斬新で合理的であり、作業精度が高く、適用範囲が広いという利点がある。
【図面の簡単な説明】
【００１３】
【図１】本考案の汚泥サンプル分析の前処理装置を示す図である。
【図２】本考案のサンプル採取装置を示す図である。
【図３】本考案の穿孔機を示す図である。
【図４】本考案の定位部材を示す図である。
【図５】本考案の支持傘を示す図である。
【図６】本考案のサンプル採取器を示す図である。
【図７】本考案の挟持盤を示す図である。
【考案を実施するための形態】
【実施例】
【００１４】
以下に図式と実施例を挙げ、本考案に提供する汚泥サンプル分析の前処理装置について更に説明する。
【００１５】
図１は本考案の汚泥サンプル分析の前処理装置を示す図である。汚泥サンプル分析の前処理装置は汚泥ポンプ１、コントローラー２、押出機３、乾燥機４、ミクロトーム５、サンプル採取装置６、作業台７、汚水プール８、汚水管９、汚水ポンプ１０を含む。
汚泥ポンプ１の一端は外部の汚泥プールと連接し、別一端は管路を通り押出機３と連通する。
押出機３の一端は汚水管９、汚水ポンプ１０と汚水プール８に連通し、押圧した水を汚水プール８の中に排水し、別一端は乾燥機４と連通する。
乾燥機４の別一端はミクロトーム５に連接し、ミクロトーム５右側にはサンプル採取装置６を設置する。
作業台７の上部にはコントローラー２を設置し、コントローラー２と汚泥ポンプ１、押出機３、乾燥機４、ミクロトーム５、サンプル採取装置６、汚水ポンプ１０はリード線で連接する。
作業台７の下部には汚水プール８を設置する。
【００１６】
図２は本考案中サンプル採取装置を示す図である。該サンプル採取装置６は、サンプル採取器台６−１、サンプル採取器６−２、穿孔機６−３、角度調節部材６−４、横移動駆動装置６−５、縦移動駆動装置６−６を含む。
底部に位置するサンプル採取器台６−１は、その上部にサンプル採取器６−２を設置し、サンプル採取器６−２の上部には穿孔機６−３を設置し、穿孔機６−３の上部には角度調節部材６−４、横移動駆動装置６−５、縦移動駆動装置６−６の順に設置する。
そのうち横移動駆動装置６−５は縦移動駆動装置６−６、角度調節部材６−４、穿孔機６−３を伴いレールに沿って水平移動する。
縦移動駆動装置６−６は角度調節部材６−４、穿孔機６−３を伴い上下移動する。
角度調節部材６−４は穿孔機６−３の穿孔角度を制御する。
角度調節部材６−４は一対の円弧形デザインである。
【００１７】
図３は本考案における穿孔機６−３を示す図である。該穿孔機６−３は昇降機６−３−１、定位部材６−３−２、電動穿孔機６−３−３、穿孔ドリル６−３−４、吸込みファン６−３−５、吸込みファンフレーム６−３−６、定位孔６−３−７を含む。
該昇降機６−３−１は垂直移動するように設計され、その下部には角度調節部材６−４を設置し、且つ表面には多数個の定位孔６−３−７を穿設する。
定位部材６−３−２の一端は定位孔６−３−７の内部に挿入し、別一端は電動穿孔機６−３−３と固定連接する。
電動穿孔機６−３−３は下部の穿孔ドリル６−３−４と嵌合快速機構によって連接する。
穿孔ドリル６−３−４の一側には吸込みファン６−３−５を設置し、吸込みファンフレーム６−３−６によって電動穿孔機６−３−３としっかりと連接する。
吸込みファン６−３−５の一端は穿孔ドリル６−３−４に近く、別一端は外部の導管と連接する。
【００１８】
図４は本考案における定位部材６−３−２を示す図である。該定位部材６−３−２は、拡張柱６−３−２−１、水平杆６−３−２−２、回動機６−３−２−３、停止機６−３−２−４、戻りバネ６−３−２−５、中心柱６−３−２−６、ブレーキ柱６−３−２−７、ガイドレール６−３−２−８、支持傘６−３−２−９を含む。
中央に位置する中心柱６−３−２−６は垂直に設計され、拡張柱６−３−２−１は中心柱６−３−２−６外部に接続し、拡張柱６−３−２−１は中心柱６−３−２−６の腰部に位置する。拡張柱６−３−２−１は縦方向に四分の一の円弧板が四個に分けられ、各円弧板は上下二本の水平杆６−３−２−２とその四方に位置するブレーキ柱６−３−２−７と連接される。
同時にブレーキ柱６−３−２−７の上下両端は戻りバネ６−３−２−５で中心柱６−３−２−６と連接される。
該四本のガイドレール６−３−２−８は、放射状等の角度で排列する。
定位部材６−３−２の筐体弾性構造は、定位部材６−３−２の筐体外部に回動機６−３−２−３を設け、回動機６−３−２−３を回転させることで、ブレーキ柱６−３−２−７がガイドレール６−３−２−８に沿って放射状に拡がり、定位部材６−３−２の筐体を弾力で押す。
定位部材６−３−２一側には停止機６−３−２−４を設ける。
拡張柱６−３−２−１の下部には傘型構造の支持傘６−３−２−９を設け、回動機６−３−２−３がブレーキ柱６−３−２−７を駆動させて支持傘６−３−２−９が放射状に開くのを実現する。
【００１９】
図５は本考案における支持傘６−３−２−９を示す図である。該支持傘６−３−２−９は、傾斜骨６−３−２−９−１、水平骨６−３−２−９−２、支持傘筐体６−３−２−９−３を含む。
最上部に位置する支持傘筐体６−３−２−９−３は錐体構造で、弾力で拡がる材質であり、展開後底部の直径は定位孔６−３−７より大きい。
支持傘筐体６−３−２−９−３は下部の傾斜骨６−３−２−９−１と連接し、一定の傾斜角度を備えた傾斜骨６−３−２−９−１の最上部を二十本一点で集めて相互に連結し、その底部を同数の水平骨６−３−２−９−２でそれぞれ連結し、水平骨６−３−２−９−２の別一端は拡張柱６−３−２−１と連接する。
【００２０】
図６は本考案におけるサンプル採取器６−２を示す図である。該サンプル採取器６−２は、作業エリア６−２−１、挟持板滑路６−２−２、滑動槽６−２−３、挟持板６−２−４、挟持盤６−２−５、手動駆動機６−２−６、駆動軸６−２−７、粉屑回収箱６−２−８を含む。
サンプル採取器６−２の一端に位置する手動駆動機６−２−６は駆動軸６−２−７を回転させ、挟持板６−２−４を挟持板滑路６−２−２に沿って左右に移動させる。
挟持板６−２−４の下部には滑動槽６−２−３を設けて、その両者を固定連接し、滑動槽６−２−３は挟持板滑路６−２−２上でスライドする。
挟持板６−２−４の数は二つであり、二つの挟持板６−２−４は相対運動する。
そのうちの一つの挟持板６−２−４には挟持盤６−２−５を設ける。
サンプル採取器６−２の一側には粉屑回収箱６−２−８を設け、粉屑回収箱６−２−８はホースで吸込みファン６−３−５と連通する。
【００２１】
図７は本考案における挟持盤６−２−５を示す図である。該挟持盤６−２−５は、水平転換駆動軸６−２−５−１、ターンギア６−２−５−２、汚泥丸形片槽６−２−５−３、ターンテーブル６−２−５−４、垂直駆動軸６−２−５−５、ターンテーブル起立軸６−２−５−６、汚泥丸形片掛合杆６−２−５−７を含む。
一側に位置する水平転換駆動軸６−２−５−１はターンギア６−２−５−２の歯と咬合して連接し、ターンギア６−２−５−２はターンテーブル６−２−５−４の歯と咬合して連接する。
ターンテーブル６−２−５−４の盤面上には六個の汚泥丸形片槽６−２−５−３を設け、ターンテーブル起立軸６−２−５−６を中心軸として等角度で配置する。
汚泥丸形片槽６−２−５−３の表面一側には汚泥丸形片掛合杆６−２−５−７を設ける。
ターンテーブル起立軸６−２−５−６の下部はターンテーブル６−２−５−４と固定連接する。
ターンテーブル起立軸６−２−５−６の上部は垂直駆動軸６−２−５−５の歯と咬合して連接する。
【符号の説明】
【００２２】
１              汚泥ポンプ
２              コントローラー
３              押出機
４              乾燥機
５              ミクロトーム
６              サンプル採取装置
６−１          サンプル採取器台
６−２          サンプル採取器
６−２−１      作業エリア
６−２−２      挟持板滑路
６−２−３      滑動槽
６−２−４      挟持板
６−２−５      挟持盤
６−２−５−１  水平転換駆動軸
６−２−５−２  ターンギア
６−２−５−３  汚泥丸形片槽
６−２−５−４  ターンテーブル
６−２−５−５  垂直駆動軸
６−２−５−６  ターンテーブル起立軸
６−２−５−７  汚泥丸形片掛合杆
６−２−６      手動駆動機
６−２−７      駆動軸
６−２−８      粉屑回収箱
６−３          穿孔機
６−３−１      昇降機
６−３−２      定位部材
６−３−２−１  拡張柱
６−３−２−２  水平杆
６−３−２−３  回動機
６−３−２−４  停止機
６−３−２−５  戻りバネ
６−３−２−６  中心柱
６−３−２−７  ブレーキ柱
６−３−２−８  ガイドレール
６−３−２−９  支持傘
６−３−２−９−１傾斜骨
６−３−２−９−２水平骨
６−３−２−９−３支持傘筐体
６−３−３      電動穿孔機
６−３−４      穿孔ドリル
６−３−５      吸込みファン
６−３−６      吸込みファンフレーム
６−３−７      定位孔
６−４          角度調節部材
６−５          横移動駆動装置
６−６          縦移動駆動装置
７              作業台
８              汚水プール
９              汚水管
１０            汚水ポンプ
【図１】
0003226552.tif 000003
【図２】
0003226552.tif 000004
【図３】
0003226552.tif 000005
【図４】
0003226552.tif 000006
【図５】
0003226552.tif 000007
【図６】
0003226552.tif 000008
【図７】
0003226552.tif 000009
【手続補正書】
【提出日】令和2年3月25日(2020.3.25)
【手続補正１】
【補正対象書類名】実用新案登録請求の範囲
【補正対象項目名】全文
【補正方法】変更
【補正の内容】
【実用新案登録請求の範囲】
【請求項１】
汚泥ポンプ、コントローラー、押出機、乾燥機、ミクロトーム、サンプル採取装置、作業台、汚水プール、汚水管、汚水ポンプから構成された汚泥サンプル分析の前処理装置において、
汚泥ポンプの一端は外部の汚泥プールと連接し、別一端は管路を通り押出機と連通し、
押出機の一端は汚水管、汚水ポンプと汚水プールに連通し、押し出した水を汚水プールの中に排水し、別一端は乾燥機と連通し、
乾燥機の別一端はミクロトームに連接し、ミクロトーム右側にはサンプル採取装置を設置し、
作業台の上部にはコントローラーを設置し、コントローラーと汚泥ポンプ、押出機、乾燥機、ミクロトーム、サンプル採取装置、汚水ポンプはリード線で連接し、
作業台の下部に汚水プールを設けることを特徴とする汚泥サンプル分析の前処理装置。
【請求項２】
前記サンプル採取装置は、サンプル採取器台、サンプル採取器、穿孔機、角度調節部材、横移動駆動装置、縦移動駆動装置を含み、
底部に位置するサンプル採取器台は、その上部にサンプル採取器を設置し、サンプル採取器の上部には穿孔機を設置し、穿孔機の上部には角度調節部材、横移動駆動装置、縦移動駆動装置の順に設置し、
そのうち横移動駆動装置は縦移動駆動装置、角度調節部材、穿孔機を伴いレールに沿って水平移動し、
縦移動駆動装置は角度調節部材、穿孔機を伴い上下移動し、
角度調節部材は穿孔機の穿孔角度を制御し、
角度調節部材は一対の円弧形デザインであることを特徴とする請求項１記載の汚泥サンプル分析の前処理装置。
【請求項３】
前記穿孔機は、昇降機、定位部材、電動穿孔機、穿孔ドリル、吸込みファン、吸込みファンフレーム、定位孔を含み、
前記昇降機は垂直移動するように設計され、その下部には角度調節部材を設置し、且つ表面には多数個の定位孔を穿設し、
定位部材の一端は定位孔の内部に挿入し、別一端は電動穿孔機と固定連接し、
電動穿孔機は下部の穿孔ドリルと嵌合快速機構によって連接し、
穿孔ドリルの一側には吸込みファンを設置し、吸込みファンフレームによって電動穿孔機としっかりと連接し、
吸込みファンの一端は穿孔ドリルに近く、別一端は外部の導管と連接することを特徴とする請求項２記載の汚泥サンプル分析の前処理装置。
【請求項４】
前記定位部材は、拡張柱、水平杆、回動機、停止機、戻りバネ、中心柱、ブレーキ柱、ガイドレール、支持傘を含み、
中央に位置する中心柱は垂直に設計され、拡張柱は中心柱外部に接続し、拡張柱は中心柱の腰部に位置し、拡張柱は縦方向に四分の一の円弧板が四個に分けられ、各円弧板は上下二本の水平杆とその四方に位置するブレーキ柱と連接され、
同時にブレーキ柱の上下両端は戻りバネで中心柱と連接され、
四本のガイドレールは、放射状の角度で排列し、
定位部材の筐体弾性構造において、定位部材の筐体外部に回動機を設け、回動機を回転させることで、ブレーキ柱がガイドレールに沿って放射状に拡がり、定位部材の筐体を弾力で押し、
定位部材の一側には停止機を設け、
拡張柱の下部には傘型構造の支持傘を設け、回動機がブレーキ柱を駆動させて支持傘が放射状に開くのを実現することを特徴とする請求項３記載の汚泥サンプル分析の前処理装置。
【請求項５】
前記支持傘は、傾斜骨、水平骨、支持傘筐体を含み、
最上部に位置する支持傘筐体は錐体構造で、弾力で拡がる材質であり、展開後底部の直径は定位孔より大きく、
支持傘筐体は下部の傾斜骨と連接し、一定の傾斜角度を備えた傾斜骨の最上部を二十本一点で集めて相互に連結し、その底部を同数の水平骨でそれぞれ連結し、水平骨の別一端は拡張柱と連接することを特徴とする請求項４記載の汚泥サンプル分析の前処理装置。
【請求項６】
前記サンプル採取器は、作業エリア、挟持板滑路、滑動槽、挟持板、挟持盤、手動駆動機、駆動軸、粉屑回収箱を含み、
サンプル採取器の一端に位置する手動駆動機は駆動軸を回転させ、挟持板を挟持板滑路に沿って左右に移動させ、
挟持板の下部には滑動槽を設けて、その両者を固定連接し、滑動槽は挟持板滑路上でスライドし、
挟持板の数は二つであり、二つの挟持板は相対運動し、
そのうちの一つの挟持板には挟持盤を設け、
サンプル採取器の一側には粉屑回収箱を設け、粉屑回収箱はホースで吸込みファンと連通することを特徴とする請求項５記載の汚泥サンプル分析の前処理装置。
【請求項７】
前記挟持盤は、水平転換駆動軸、ターンギア、汚泥丸形片槽、ターンテーブル、垂直駆動軸、ターンテーブル起立軸、汚泥丸形片掛合杆を含み、
一側に位置する水平転換駆動軸はターンギアの歯が咬合して連接し、ターンギアとターンテーブルの歯が咬合して連接し、
ターンテーブルの盤面上には六個の汚泥丸形片槽を設け、ターンテーブル起立軸を中心軸として等角度で配置し、
汚泥丸形片槽の表面一側には汚泥丸形片掛合杆を設け、
ターンテーブル起立軸の下部はターンテーブルと固定連接し、
ターンテーブル起立軸の上部は垂直駆動軸の歯と咬合して連接することを特徴とする請求項６記載の汚泥サンプル分析の前処理装置。